(57)【要約】【課題】  被介護対象者を抱える家族等が要介護度を簡便に判定することができる要介護度判定サービスシステムを提供すること。【解決手段】  第１の装置が、第２の装置からのアクセスに対して、要介護度の判定に必要な質問項目を送信し、質問項目に対する回答情報を受信し、その受信した回答情報に対して次の質問項目を選択して送信する処理を実行し、最後の質問項目に対する回答情報を受信した段階で被介護対象者の要介護度を判定し、判定結果を前記第２の装置に返信する手段を備え、第２の装置が、前記第１の装置にネットワークを介してアクセスし、要介護度の判定に必要な質問項目を受信して表示画面に表示し、表示された質問項目に対して利用者によって選択入力された回答情報を前記第１の装置に返信する手段と、前記第１の装置の判定結果を受信して表示画面に表示する手段とを備える。【選択図】        図２
2007048093.tif 000002
【特許請求の範囲】
【請求項１】
被介護対象者の要介護度判定サービスを提供する第１の装置と、ネットワークを介して前記第１の装置と接続される第２の装置とから成る要介護度判定サービス提供システムであって、
前記第１の装置が、
前記第２の装置からのアクセスに対して、要介護度の判定に必要な質問項目を送信し、質問項目に対する前記第２の装置からの回答情報を受信し、その受信した回答情報に対して次の質問項目を選択して送信する処理を実行し、最後の質問項目に対する回答情報を受信した段階で被介護対象者の要介護度を判定し、判定結果を前記第２の装置に返信する手段を備え、
前記第２の装置が、
前記第１の装置にネットワークを介してアクセスし、要介護度の判定に必要な質問項目を受信して表示画面に表示し、表示された質問項目に対して利用者によって選択入力された回答情報を前記第１の装置に返信する手段と、前記第１の装置の判定結果を受信して表示画面に表示する手段とを備えることを特徴とする要介護度判定サービス提供システム。
【発明の詳細な説明】
【技術分野】
【０００１】
本発明は、被介護対象者の要介護度を携帯電話機等の情報端末を使用して簡便に判定する要介護度判定サービスシステムに関するものである。
【背景技術】
【０００２】
従来、２０００年４月から導入された介護保険制度にあっては、要支援、要介護１〜要介護５の介護レベルが設定され、その介護レベルに応じた介護保険サービスが提供される。
介護レベルの判定に当たっては、公的機関の調査員が被介護対象者の自宅等へ出向き、筋力の衰え、視力・聴力、意思・伝達コミュニケーションの可否など、多岐にいわたる基本調査を実施し、その結果に基づいて介護レベルを判定し、しかも半年毎に再調査することになっている。
【０００３】
しかしながら、対象者の病状の変化により、半年を待たずに被介護対象者の介護レベルが変化する場合がある。
被介護対象者を抱える家族にとっては、病状が回復したのであれば好ましいことであるが、要介護レベルが高くなる方向に病状が変化した場合には、半年を待たずに再度の判定を要請したいのであるが、判定基準が分からないので要介護レベルが変化したのか、していないのかを判定することができず、簡便に要介護度を判定可能な装置の出現が望まれている。
【０００４】
従来、要介護度を判定するシステムとして、下記の特許文献１，２にあるように、要介護度を判定した対象者の情報を蓄積しておき、判定が適正であったかどうかを検証するものが提案されている。
【特許文献１】特開２００１−１４２９７９
【特許文献２】特開２００３−２７１２８０
【発明の開示】
【発明が解決しようとする課題】
【０００５】
しかし、前記特許文献１、２に開示されたものは、公的機関における介護判定業務を支援することを主旨とするものであり、被介護対象者を抱える家族等が要介護度を簡便に判定することについては何ら考慮されていない。
【０００６】
本発明は、被介護対象者を抱える家族等が要介護度を簡便に判定することができる要介護度判定サービスシステムを提供することにある。
【課題を解決するための手段】
【０００７】
上記課題を解決するために、本発明は、被介護対象者の要介護度判定サービスを提供する第１の装置と、ネットワークを介して前記第１の装置と接続される第２の装置とから成る要介護度判定サービス提供システムであって、
前記第１の装置が、
前記第２の装置からのアクセスに対して、要介護度の判定に必要な質問項目を送信し、質問項目に対する前記第２の装置からの回答情報を受信し、その受信した回答情報に対して次の質問項目を選択して送信する処理を実行し、最後の質問項目に対する回答情報を受信した段階で被介護対象者の要介護度を判定し、判定結果を前記第２の装置に返信する手段を備え、
前記第２の装置が、
前記第１の装置にネットワークを介してアクセスし、要介護度の判定に必要な質問項目を受信して表示画面に表示し、表示された質問項目に対して利用者によって選択入力された回答情報を前記第１の装置に返信する手段と、前記第１の装置の判定結果を受信して表示画面に表示する手段とを備えることを特徴とする。
【発明の効果】
【０００８】
本発明によれば、第１の装置から送信される質問項目に対して、第２の装置から回答を入力するのみで、要介護度の判定結果が得られるため、被介護対象者を抱える家族等が要介護度を簡便に確認することができる。
【発明を実施するための最良の形態】
【０００９】
以下、本発明の実施の形態を図面を参照して具体的に説明する。
図１は、本発明に係る要介護度判定サービスシステムの実施の形態を示すシステム構成図である。
本実施形態のシステムは、要介護度判定サービスを提供するＷｅｂサーバ１と、Ｗｅｂサーバ１からネットワーク３、基地局４を介した質問項目に対して回答を送信する携帯電話機２とで構成されている。
なお、携帯電話機２に代えて、パーソナルコンピュータやＰＤＡなどの情報端末を用いることができることは言うまでもない。
Ｗｅｂサーバ１は、ＣＰＵ１０１、入力装置１０２、出力装置１０３、メモリ１０４を備え、メモリ１０４内には介護区分判定プログラム１０５が記憶されている。質問に対する回答情報は、記憶装置１０６に蓄積される。
【００１０】
図２は、介護区分判定プログラム１０５の介護区分判定処理手順を示すフローチャートである。
図３〜図１７は、介護区分判定プログラム１０５が携帯電話機２に対して送信する質問画面の例を示す図である。
以下、図２及び図３〜図１７を参照して本発明における要介護度の判定処理について説明する。
要介護度の判定を希望する携帯電話機２の利用者は、携帯電話機２から基地局４、ネットワーク３を介してＷｅｂサーバ１の要介護判定サービスサイトにアクセスする。
すると、介護区分判定プログラム１０５が、最初のステップ２０１において、図３に示すような「麻痺・拘縮」に関する自己診断画面３００を携帯電話機２に返信する。
この図３の自己診断画面３００には、「麻痺・拘縮」に関する選択式の質問項目が記載されている。
【００１１】
そこで、携帯電話機２の利用者が被介護対象者の病状に該当する質問項目の選択回答欄３０１にチェックマークを入れ、「次へ」ボタン３０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「麻痺・拘縮」に関する回答情報を記憶装置１０６に格納する。
そして、介護区分判定プログラム１０５は、回答情報が、「なし」、「上肢」、「下肢」、「上肢下肢とも」のいずれに該当するかを判定し、その判定結果に応じた次の自己診断画面を選択して携帯電話機２に送信する。
【００１２】
すなわち、「麻痺・拘縮」に関する回答情報が「なし」であった場合には、図４に示すような「筋力の衰え」に関する自己診断画面４００を携帯電話機２に送信し（ステップ２０２）、「上肢」であった場合には、図５に示すような「起き上がり」に関する自己診断画面５００を選択して送信し（ステップ２０７）、「下肢」であった場合には、図６に示すような「歩行」に関する自己診断画面６００を選択して送信し（ステップ２１２）、「上肢下肢とも」であった場合には、図７に示すような「寝返りに関する自己診断画面７００を選択して送信する（ステップ２１５）。
【００１３】
図４の自己診断画面４００には、「筋力の衰え」に関する選択式の質問項目が記載されている。
そこで、携帯電話機２の利用者が被介護対象者の病状に該当する質問項目の選択回答欄４０１にチェックマークを入れ、「次へ」ボタン４０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「筋力の衰え」に関する回答情報を記憶装置１０６に格納する。
そして、介護区分判定プログラム１０５は、回答情報が、「問題なし」、「一部介助または全介助」のいずれに該当するかを判定し、その判定結果に応じた次の自己診断画面を選択して携帯電話機２に送信する。なお、質問項目中の「手や腕にある」、「足にある」、「手や腕、足ともある」のいずれかが選択された場合には「一部介助または全介助」の回答として扱う。
【００１４】
すなわち、ステップ２０３において、「筋力の衰え」に関する回答情報が「問題なし」であった場合には、図８に示すような「身の回りの世話」に関する自己診断画面８００を携帯電話機２に送信し、「一部介助または全介助」であった場合には、図１２に示すような「排尿・排便及び後始末」に関する自己診断画面１２００を選択して送信する。
【００１５】
図５の自己診断画面５００には、「起き上がり」に関する選択式の質問項目が記載されている。
そこで、携帯電話機２の利用者が被介護対象者の病状に該当する質問項目の選択回答欄４０１にチェックマークを入れ、「次へ」ボタン５０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「筋力の衰え」に関する回答情報を記憶装置１０６に格納する。
そして、介護区分判定プログラム１０５は、回答情報が、「できる」、「一部介助で可能またはできない」のいずれに該当するかを判定し、その判定結果に応じた次の自己診断画面を選択して携帯電話機２に送信する。なお、質問項目中の「手すりなどにつかまればできる」、「ひとりではできない」のいずれかが選択された場合には「一部介助で可能またはできない」の回答として扱う。
【００１６】
すなわち、ステップ２０７において、「起き上がり」に関する回答情報が「できる」であった場合には、図９に示すような「衣服着脱・入浴」に関する自己診断画面９００を携帯電話機２に送信し、「一部介助で可能またはできない」であった場合には、図１０に示すような「移乗・移動」に関する自己診断画面１０００を選択して送信する。
【００１７】
図６の自己診断画面６００には、「歩行」に関する選択式の質問項目が記載されている。
そこで、携帯電話機２の利用者が被介護対象者の病状に該当する質問項目の選択回答欄６０１にチェックマークを入れ、「次へ」ボタン６０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「筋力の衰え」に関する回答情報を記憶装置１０６に格納する。
そして、介護区分判定プログラム１０５は、回答情報が、「できる」、「一部介助で可能またはできない」のいずれに該当するかを判定し、その判定結果に応じた次の自己診断画面を選択して携帯電話機２に送信する。なお、質問項目中の「杖や手すりなどにつかまればできる」、「全く歩けない、医者に止められている」のいずれかが選択された場合には「一部介助で可能またはできない」の回答として扱う。
【００１８】
すなわち、ステップ２１２において、「歩行」に関する回答情報が「できる」であった場合には、図９に示すような「衣服着脱・入浴」に関する自己診断画面９００を携帯電話機２に送信し、「一部介助で可能またはできない」であった場合には、図１０に示すような「移乗・移動」に関する自己診断画面１０００を選択して送信する。
【００１９】
図７の自己診断画面７００には、「寝返り」に関する選択式の質問項目が記載されている。
そこで、携帯電話機２の利用者が被介護対象者の病状に該当する質問項目の選択回答欄７０１にチェックマークを入れ、「次へ」ボタン７０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「寝返り」に関する回答情報を記憶装置１０６に格納する。
そして、介護区分判定プログラム１０５は、回答情報が、「できる」、「一部介助で可能またはできない」のいずれに該当するかを判定し、その判定結果に応じた次の自己診断画面を選択して携帯電話機２に送信する。なお、質問項目中の「ベッド柵などにつかまればできる」、「一人ではできない」のいずれかが選択された場合には「一部介助で可能またはできない」の回答として扱う。
【００２０】
すなわち、ステップ２１５において、「寝返り」に関する回答情報が「できる」であった場合には、図９に示すような「衣服着脱・入浴」に関する自己診断画面９００を携帯電話機２に送信し、「一部介助で可能またはできない」であった場合には、図１０に示すような「移乗・移動」に関する自己診断画面１０００を選択して送信する。
【００２１】
図８の自己診断画面８００には、「身の回りの世話」に関する選択式の質問項目が記載されている。
そこで、携帯電話機２の利用者が被介護対象者の病状に該当する質問項目の選択回答欄８０１にチェックマークを入れ、「次へ」ボタン８０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「筋力の衰え」に関する回答情報を記憶装置１０６に格納する。
そして、介護区分判定プログラム１０５は、回答情報が、「問題なし」、「一部介助または全介助」のいずれに該当するかを判定し、その判定結果に応じた次の自己診断画面を選択して携帯電話機２に送信する。なお、質問項目中の「２個以上思い当たる」は「一部介助または全介助」の回答として扱う。
【００２２】
すなわち、ステップ２０３において、「身の回りの世話」に関する回答情報が「問題なし」であった場合には、図１１に示すような「尿意・便意」に関する自己診断画面１１００を携帯電話機２に送信し、「一部介助または全介助」であった場合には、図１２に示すような「排尿排便および後始末」に関する自己診断画面１２００を選択して送信する。
【００２３】
図９の自己診断画面９００には、「衣服着脱・入浴」に関する選択式の質問項目が記載されている。
そこで、携帯電話機２の利用者が被介護対象者の病状に該当する質問項目の選択回答欄９０１にチェックマークを入れ、「次へ」ボタン９０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「衣服着脱・入浴」に関する回答情報を記憶装置１０６に格納する。
そして、介護区分判定プログラム１０５は、回答情報が、「できる」、「一部介助で可能」、「できない」のいずれに該当するかを判定し、その判定結果に応じた次の自己診断画面を選択して携帯電話機２に送信する。なお、質問項目中の「着替え」、「浴槽への移動」、「体を洗う」の全てにチェックが入れられていた場合を「できる」として扱い、全てにチェックが入れられていない場合を「できない」、一部のみにチェックが入れられていた場合を「一部介助で可能」として扱う。
【００２４】
すなわち、ステップ２０８において、「衣服着脱・入浴」に関する回答情報が「できる」であった場合には、図１２に示すような「排尿排便・後始末」に関する自己診断画面１２００を携帯電話機２に送信し、「一部介助で可能」であった場合には、図１２に示すような「排尿排便および後始末」に関する自己診断画面１２００を選択して送信する。
【００２５】
図１０の自己診断画面１０００には、「移乗・移動」に関する選択式の質問項目が記載されている。
そこで、携帯電話機２の利用者が被介護対象者の病状に該当する質問項目の選択回答欄１００１にチェックマークを入れ、「次へ」ボタン１００２を操作する。すると、携帯電話機２はチェックマークを入れた質問項目が被介護対象者の病状あるいは状態を表している回答情報としてＷｅｂサーバ１に送信する。Ｗｅｂサーバ１は受信した「移乗・移動」に関する回答情報を記憶装置１０６に格納する。
そして、介護区分判定プログラム１０５は、回答情報が、「できる」、「一部介助で可能またはできない」のいずれに該当するかを判定し、その判定結果に応じた次の自己診断画面を選択して携帯電話機２に送信する。なお、質問項目中の「できる」以外の回答は「一部介助で可能またはできない」として扱う。
【００２６】
すなわち、ステップ２１６において、「移乗・移動」に関する回答情報が「できる」であった場合には、図１２に示すような「排尿排便・後始末」に関する自己診断画面１２００を携帯電話機２に送信し、「一部介助で可能またはできない」であった場合には、図１３に示すような「食事摂取」に関する自己診断画面１３００を選択して送信する。
【００２７】
図１１の自己診断画面１１００には、「尿意・便意」に関する選択式の質問項目が記載されている。
そこで、携帯電話機２の利用者が被介護対象者の病状に該当する質問項目の選択回答欄１１０１にチェックマークを入れ、「次へ」ボタン１１０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「尿意・便意」に関する回答情報を記憶装置１０６に格納する。
そして、介護区分判定プログラム１０５は、回答情報が、「ある」、「時々ある」、「ない」のいずれに該当するかを判定し、その判定結果に応じた次の自己診断画面を選択して携帯電話機２に送信する。
【００２８】
すなわち、ステップ２０４において、「尿意・便意」に関する回答情報が「ある」であった場合には、図１４に示すような「視力・聴力」に関する自己診断画面１４００を携帯電話機２に送信し、「時々ある」であった場合には、図１４に示すような「視力・聴力」に関する自己診断画面１４００を選択して送信する。
【００２９】
図１２の自己診断画面１２００には、「排尿排便及び後始末」に関する選択式の質問項目が記載されている。
そこで、携帯電話機２の利用者が被介護対象者の病状に該当する質問項目の選択回答欄１２０１にチェックマークを入れ、「次へ」ボタン１２０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「排尿排便及び後始末」に関する回答情報を記憶装置１０６に格納する。
そして、介護区分判定プログラム１０５は、回答情報が、「できる」、「一部介助または全介助（オムツ使用含む）」のいずれに該当するかを判定し、その判定結果に応じた次の自己診断画面を選択して携帯電話機２に送信する。
【００３０】
すなわち、ステップ２０９において、「排尿排便及び後始末」に関する回答情報が「できる」、であった場合には、図１４に示すような「視力・聴力」に関する自己診断画面１４００を携帯電話機２に送信し、「一部介助または全介助（オムツ使用含む）」であった場合には、図１５に示すような「意思伝達コミュニケーション」に関する自己診断画面１５００を選択して送信する。
ここで、１つ前の自己診断画面が図８の「身の回りの世話」に関するものであり、ここで、「一部介助または全介助」の回答があった場合にも図１２の「排尿排便及び後始末」に関する自己診断画面１２００に遷移するが、この場合には、回答が「できる又は一部介助」か、「全介助（オムツ使用含む）」かで図１５の「意思伝達コミュニケーション」に関する自己診断画面１５００を選択して送信する（ステップ２１３）。
【００３１】
図１３の自己診断画面１３００には、「食事摂取」に関する選択式の質問項目が記載されている。
そこで、携帯電話機２の利用者が被介護対象者の病状に該当する質問項目の選択回答欄１３０１にチェックマークを入れ、「次へ」ボタン１３０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「食事摂取」に関する回答情報を記憶装置１０６に格納する。
そして、介護区分判定プログラム１０５は、回答情報が、「できる」、「一部介助で可能またはできない」のいずれに該当するかを判定し、その判定結果に応じた次の自己診断画面を選択して携帯電話機２に送信する。
【００３２】
すなわち、ステップ２１７において、「食事摂取」に関する回答情報が「できる」、であった場合には、図１５に示すような「意思伝達コミュニケーション」に関する自己診断画面１５００を携帯電話機２に送信し、「一部介助で可能またはできない」であった場合には、図１５に示すような「意思伝達コミュニケーション」に関する自己診断画面１５００を選択して送信する。
【００３３】
図１４の自己診断画面１４００には、「視力聴力」に関する選択式の質問項目が記載されている。
そこで、携帯電話機２の利用者が被介護対象者の病状に該当する質問項目の選択回答欄１４０１にチェックマークを入れ、「次へ」ボタン１４０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「視力聴力」に関する回答情報を記憶装置１０６に格納する。
そして、介護区分判定プログラム１０５は、回答情報が、「問題なしまたはやや困難」、「見えないまたは聞こえない」のいずれに該当するかを判定し、その判定結果に応じた次の自己診断画面を選択して携帯電話機２に送信する。
【００３４】
すなわち、ステップ２０５において、「視力聴力」に関する回答情報が「問題なしまたはやや困難」であった場合には、図１６に示すような「認知症確認」に関する自己診断画面１６００を携帯電話機２に送信し、「見えないまたは聞こえない」であった場合にも、図１６に示すような「認知症確認」に関する自己診断画面１６００を選択して送信する。
【００３５】
ここで、１つ前の自己診断画面が図１２の「排尿排便及び後始末」に関するものであり、ここで、「できる」の回答があった場合にも図１４の「視力聴力」に関する自己診断画面１４００に遷移するが、この場合には、回答が「問題なしまたはやや困難」か、「見えないまたは聞こえない」かで図１６の「意思伝達コミュニケーション」に関する自己診断画面１６００を選択して送信する（ステップ２１０）。
【００３６】
図１５の自己診断画面１５００には、「意思伝達コミュニケーション」に関する選択式の質問項目が記載されている。
そこで、携帯電話機２の利用者が被介護対象者の病状に該当する質問項目の選択回答欄１５０１にチェックマークを入れ、「次へ」ボタン１５０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「意思伝達コミュニケーション」に関する回答情報を記憶装置１０６に格納する。
【００３７】
そして、介護区分判定プログラム１０５は、ステップ２１４において、回答情報が、「できる」、「やや困難」、「できない」のいずれに該当するかを判定し、かつ当該ステップ２１４に至るまでの回答情報を総合し、「できる」の場合は要介護度を「要介護１〜要介護３」であると判定し、その判定結果を携帯電話機２に送信する。
しかし、「やや困難」の場合には、要介護度を「要介護２〜要介護４」であると判定し、その判定結果を携帯電話機２に送信する。また、「できない」の場合には、要介護度を「要介護３〜要介護５」であると判定し、その判定結果を携帯電話機２に送信する。
【００３８】
ここで、１つ前の自己診断画面が図１２の「排尿排便及び後始末」または図１３の「食事摂取」に関するものであり、ここで、「全介助（オムツ使用含む）」、「一部介助で可能またはできない」の回答があった場合にも図１６の「意思伝達コミュニケーション」に関する自己診断画面１５００に遷移するが、この場合には、回答が「できる」か、「やや困難またはできない」かで要介護度の判定結果が異なる。
【００３９】
すなわち、ステップ２１８においては、「排尿排便及び後始末」の回答が「全介助（オムツ使用含む）」であり、かつ「意思伝達コミュニケーション」の回答が「できる」であれば要介護度を「要介護２〜要介護４」であると判定する。また、「食事摂取」の回答が「一部介助で可能またはできない」であり、かつ「意思伝達コミュニケーション」の回答が「できる」であれば要介護度を「要介護２〜要介護４」であると判定する。
しかし、「排尿排便及び後始末」の回答が「全介助（オムツ使用含む）」であり、かつ「意思伝達コミュニケーション」の回答が「やや困難またはできない」であれば要介護度を「要介護３〜要介護５」であると判定する。また、「食事摂取」の回答が「一部介助で可能またはできない」であり、かつ「意思伝達コミュニケーション」の回答が「やや困難またはできない」であれば要介護度を「要介護３〜要介護５」であると判定する。そして、その判定結果を携帯電話機２に送信する。
【００４０】
一方、図１６の「認知症確認」に関する自己診断画面１６００には、「認知症確認」に関する選択式の質問項目が記載されている。
そこで、携帯電話機２の利用者が被介護対象者の病状に該当する質問項目の選択回答欄１６０１にチェックマークを入れ、「次へ」ボタン１６０２を操作する。すると、携帯電話機２はチェックマークを入れた質問項目が被介護対象者の病状あるいは状態を表している回答情報としてＷｅｂサーバ１に送信する。Ｗｅｂサーバ１は受信した「意思伝達コミュニケーション」に関する回答情報を記憶装置１０６に格納する。
そして、介護区分判定プログラム１０５は、ステップ２０６において、回答情報が、「問題なし」、「少々あり」、「かなり進行」のいずれに該当するかを判定し、かつ当該ステップ２０６に至るまでの回答情報を総合し、「認知症確認」に関する回答が「問題なし」の場合は要介護度を「自立」と判定し、その判定結果を携帯電話機２に送信する。
【００４１】
しかし、「少々あり」の場合には、要介護度を「要支援〜要介護１」であると判定し、その判定結果を携帯電話機２に送信する。また、「かなり進行」の場合には、要介護度を「要介護１〜要介護３」であると判定し、その判定結果を携帯電話機２に送信する。
なお、認知症確認の自己診断画面１６００において、何もチェックが入れてない場合は「問題なし」として扱い、例えば５個未満の場合は「少々あり」として扱い、５個以上の場合は「かなり進行」として扱う。
【００４２】
ここで、２つ前の「尿意・便意」に関する自己診断画面１１００（図１１）において回答が「時々ある」であり、かつ１つ前の「視力聴力」に関する自己診断画面１４００（図１４）において回答が「問題なしまたはやや困難」であった場合、および２つ前の「排尿排便及び後始末」に関する自己診断画面１２００（図１２）において回答が「できる」であり、かつ１つ前の「視力聴力」関する自己診断画面１４００（図１４）において回答が「問題なしまたはやや困難」であった場合にも、図１６の「認知症確認」に関する自己診断画面１６００に遷移するが、この場合には、認知症確認に対する回答が「問題なし」か、「少々ありかなり進行」かで要介護度の判定結果が異なる（ステップ２１１）。
【００４３】
すなわち、ステップ２１１においては、「尿意・便意」の回答が「時々ある」であり、かつ「視力聴力」の回答が「問題なしまたはやや困難」であり、認知症確認の回答が「問題なし」であれば要介護度を「要支援〜要介護１」であると判定する。しかし、認知症確認の回答が「少々ありかなり進行」であれば要介護度を「要介護１〜要介護３」であると判定する。
また、「排尿排便及び後始末」の回答が「できる」であり、かつ「視力聴力」の回答が「問題なしまたはやや困難」であり、認知症確認の回答が「問題なし」であれば要介護度を「要支援〜要介護１」であると判定する。しかし、認知症確認の回答が「少々ありかなり進行」であれば要介護度を「要介護１〜要介護３」であると判定する。
なお、ステップ２１０における「視力聴力」に対する回答が「見えないまたは聞こえない」であった場合には、要介護度を「要介護１〜要介護３」であると判定する。
【００４４】
図１７（ａ），（ｂ）に要介護度の判定結果が「自立」であった場合と「要支援〜要介護１」であった場合の判定結果の画面の例を示している。
【００４５】
以上のように、本実施形態においては、要介護度を判定するための質問項目を全て収集し終えた段階で要介護度を判定するのではなく、利用者からの回答内容に応じて次の質問項目を選択してその回答を得るという手法を採用しているため、判定結果を得るまでの質問回数を絞り込むことができ、６回の回答操作を行うだけで要介護度の判定結果を確認することができる。
そして、広く普及している携帯電話機を用いて判定結果を確認することができるため、被介護対象者を抱える家族にとっては、極めて簡便に要介護度を確認することができ、被介護対象者の病状の変化に即して公的機関に対して再調査依頼などの手続きをとることができる。
【図面の簡単な説明】
【００４６】
【図１】本発明に要介護度判定サービスシステムの実施の形態を示すシステム構成図である。
【図２】要介護度判定プログラムの処理を示すフローチャートである。
【図３】「麻痺・拘縮」の質問項目に関する自己診断画面の例を示す図である。
【図４】「筋力の衰え」の質問項目に関する自己診断画面の例を示す図である。
【図５】「起き上がり」の質問項目に関する自己診断画面の例を示す図である。
【図６】「歩行」の質問項目に関する自己診断画面の例を示す図である。
【図７】「寝返り」の質問項目に関する自己診断画面の例を示す図である。
【図８】「身の回りの世話」の質問項目に関する自己診断画面の例を示す図である。
【図９】「衣服着脱・入浴」の質問項目に関する自己診断画面の例を示す図である。
【図１０】「移乗・移動」の質問項目に関する自己診断画面の例を示す図である。
【図１１】「尿意・便意」の質問項目に関する自己診断画面の例を示す図である。
【図１２】「排尿・排便及び後始末」の質問項目に関する自己診断画面の例を示す図である。
【図１３】「食事摂取」の質問項目に関する自己診断画面の例を示す図である。
【図１４】「視力・聴力」の質問項目に関する自己診断画面の例を示す図である。
【図１５】「意思伝達コミュニケーション」の質問項目に関する自己診断画面の例を示す図である。
【図１６】「認知症」の質問項目に関する自己診断画面の例を示す図である。
【図１７】要介護度判定結果の画面の例を示す図である。
【符号の説明】
【００４７】
１    Ｗｅｂサーバ
２    携帯電話機
３    ネットワーク
１０５    介護区分判定プログラム
【図１】
2007048093.tif 000003
【図２】
2007048093.tif 000004
【図３】
2007048093.tif 000005
【図４】
2007048093.tif 000006
【図５】
2007048093.tif 000007
【図６】
2007048093.tif 000008
【図７】
2007048093.tif 000009
【図８】
2007048093.tif 000010
【図９】
2007048093.tif 000011
【図１０】
2007048093.tif 000012
【図１１】
2007048093.tif 000013
【図１２】
2007048093.tif 000014
【図１３】
2007048093.tif 000015
【図１４】
2007048093.tif 000016
【図１５】
2007048093.tif 000017
【図１６】
2007048093.tif 000018
【図１７】
2007048093.tif 000019